(57)【特許請求の範囲】
【請求項１】
複数の辺部及び複数の角部を有する形状の磁性体を含む磁性板部材と、当該磁性板部材の１つの角部を形成する隣接する２つの辺部上を通過するように所定回数巻かれた導線と、を有するアンテナ装置であって、
少なくとも２本の前記導線は、それぞれ前記複数の対向する角部同士を通る対角線と直交するように設けられ、かつ前記磁性板部材上のほぼ一面にほぼ均一に磁界を生成するように前記磁性板部材上にて交差することを特徴とするアンテナ装置。
【請求項２】
前記磁性板部材はほぼ同じ長さを有する複数の辺を備えることを特徴とする請求項１記載のアンテナ装置。
【請求項３】
前記磁性板部材上の導線の間隔は、前記角部から離隔するにつれて次第に広がっていることを特徴とする請求項１記載のアンテナ装置。
【請求項４】
前記磁性板部材上にて交差する２つの導線の角度がほぼ９０度であることを特徴とする請求項１記載のアンテナ装置。
【請求項５】
電磁界の変動を受信するアンテナ部と、当該アンテナ部から受信した変動を信号に変換する共振整合回路部と、当該共振整合回路部により変換された信号を読み取る読取／書込装置と、を備える無線通信システムにおいて、
前記アンテナ部は、複数の辺部及び複数の角部を有する形状の磁性体を含む磁性板部材と、当該磁性板部材の１つの角部を形成する隣接する２つの辺部上を通過するように所定回数巻かれた導線と、を有し、少なくとも２本の前記導線は、それぞれ前記複数の対向する角部同士を通る対角線と直交するように設けられ、かつ前記磁性板部材上のほぼ一面にほぼ均一に磁界を生成するように前記磁性板部材上にて交差し、
前記磁性板部材にて交差する２つの導線に流れる電流は、ほぼ同相であることを特徴とする無線通信システム。
【請求項６】
前記磁性板部材はほぼ同じ長さを有する複数の辺を備えることを特徴とする請求項５記載の無線通信システム。
【請求項７】
前記磁性板部材上の導線の間隔は、前記角部から離隔するにつれて次第に広がっていることを特徴とする請求項５記載の無線通信システム。
【請求項８】
前記磁性板部材上にて交差する２つの導線の角度がほぼ９０度であることを特徴とする請求項５記載の無線通信システム。
【請求項９】
電磁界の変動を受信するアンテナ部と、当該アンテナ部から受信した変動を信号に変換する共振整合回路部と、当該共振整合回路部により変換された信号を読み取る読取／書込装置と、前記アンテナ部の導線に供給する電力の位相を変更する位相器と、を備える無線通信システムにおいて、
前記アンテナ部は、複数の辺部及び複数の角部を有する形状の磁性体を含む磁性板部材と、当該磁性板部材の１つの角部を形成する隣接する２つの辺部上を通過するように所定回数巻かれた導線と、を有し、少なくとも２本の前記導線は、それぞれ前記複数の対向する角部同士を通る対角線と直交するように設けられ、かつ前記磁性板部材上のほぼ一面にほぼ均一に磁界を生成するように前記磁性板部材上にて交差し、
前記位相器は、前記２本の導線の一方に他方と異なる位相の電力を供給することを特徴とする無線通信システム。
【請求項１０】
前記磁性板部材はほぼ同じ長さを有する複数の辺を備えることを特徴とする請求項９記載の無線通信システム。
【請求項１１】
前記磁性板部材上の導線の間隔は、前記角部から離隔するにつれて次第に広がっていることを特徴とする請求項９記載の無線通信システム。
【請求項１２】
前記磁性板部材上にて交差する２つの導線の角度がほぼ９０度であることを特徴とする請求項９記載の無線通信システム。
【発明の詳細な説明】
【技術分野】
【０００１】
本発明は、ＨＦ帯（１３．５６ＭＨｚ帯）の周波数を利用し、複数のＲＦ−ＩＤタグとの通信を行うＲＦ−ＩＤリーダーライター装置用のアンテナ装置及びそれを用いた無線通信システムに関する。
【背景技術】
【０００２】
従来、ＨＦ帯（１３．５６ＭＨｚ帯）の周波数を利用したＲＦ−ＩＤアンテナとして、一般的に同一平面上に構成された一回巻きもしくは複数回巻きの円形または矩形のループアンテナが実用に供されている。
【０００３】
このＲＦ−ＩＤリーダーライター装置用ループアンテナは、その開口面Ｓに垂直な方向（中心軸方向）の磁界強度が最も大きい。よって、ＲＦ−ＩＤタグ側のループアンテナとＲＦ−ＩＤリーダーライター装置用ループアンテナの位置関係は、お互いの開口面Ｓが平行になる様に配置されるのが一般的であった。
【０００４】
また、複数のＲＦ−ＩＤタグとの通信を行う場合においても、同一平面上に複数のＲＦ−ＩＤタグを開口面Ｓが重ならないように並べ、ＲＦ−ＩＤリーダーライター装置用ループアンテナに対して開口面Ｓが平行になるように配置していた。
【０００５】
しかし、書籍管理用途やＣＤ／ＤＶＤ管理用途等の極めて厚さの薄い物品管理などに供するときには、ＲＦ−ＩＤタグのサイズと、前記物品の厚さの物理的関係により、書籍やＣＤ／ＤＶＤケースの背表紙にＲＦ−ＩＤタグを貼り付けできないと言う問題が生じていた。この解決策として、複数のＲＦ−ＩＤタグを狭間隔（物品の厚さ＋α）でタグアンテナの中心軸が一致するように重なり合わせるように、管理物品の表表紙面もしくは裏表紙面に貼り付けせざるを得なかった。
【０００６】
また、従来の一般的な同一平面上に構成された一回巻きもしくは複数回巻きの円形または矩形のループアンテナを用いて、重なり合わせるように配置した複数のＲＦ−ＩＤタグとの通信を行う場合、タグ間の干渉やタグとリーダーライター装置用のアンテナとの干渉によるアンテナ共振周波数のズレや、基本的な磁界強度の距離減衰によりタグの読取数が極めて少なく、全てのタグとの通信できないと言う欠点があった。
【０００７】
この解決策として既に出願している（特許文献１）に記載の、接地型多巻きループアンテナがある。この接地型多巻きループアンテナは、多巻きループアンテナの開口面の中心軸に合致せず、多巻きループアンテナの開口面を通らない中心軸に略平行な軸と、少なくとも１つのＲＦ−ＩＤタグのアンテナの開口面の中心軸とを略一致させて、多巻きループアンテナの外周天面の面上に、複数のＲＦ−ＩＤタグが近接配置させて通信することを特徴とするアンテナ装置である。
【０００８】
また、一般的に板状またはシート状の磁性体にコイルを巻いたＲＦ−ＩＤタグ用のアンテナの従来の技術として、（特許文献２）、（特許文献３）、（特許文献４）に記載されたアンテナコイルがある。これら３つの従来の技術はタグ用のアンテナに関する物であるが、これら３つの従来の技術に共通するアンテナコイルとしての電気的な課題として、大別して２つの課題がある。
【０００９】
第一の課題としては、図１３に示すようにコイルの長さ方向の磁界（図中のＨｘ）分布が、コイルの長さ方向に対し中央部付近の磁界強度が高く、コイルの両端部付近になるにつれ磁界強度が弱くなっている。
【００１０】
第二の課題としては、図１３に示すようにコイルの長さ方向の磁界（図中のＨｘ）分布が、コイルの巻き始め及び巻き終わり付近（図中のＣ、Ｃ１及びＤ，Ｄ１）でヌル点（Ｈｘ成分が極めて弱い部分）が生じることにある。
【特許文献１】特開２００７−１６４４７９号公報
【特許文献２】特開２００２−２５２５１８号公報
【特許文献３】特開２００７−０４１６６６号公報
【特許文献４】特許第３２９３５５４号公報
【発明の開示】
【発明が解決しようとする課題】
【００１１】
図１２、図１３及び図１４に従来の技術を示す。図１３は一般的なアンテナコイルを示す図で、図１３（ａ）はコイルの側面図、図１３（ｂ）はその長さ方向の磁界Ｈｘの磁界強度分布の側面図、図１３（ｃ）はその長さ方向の磁界Ｈｘの磁界強度分布の平面図である。
【００１２】
図１４は、特許文献２、特許文献３、特許文献４に記載の従来の技術をそれぞれ（ａ）、（ｂ）、（ｃ）に示す。これら３つの従来の技術はいずれもタグ用のアンテナコイルの提案であるが、いずれの従来の技術においても磁性体板にアンテナコイルを均一の間隔Ｌで複数回巻く構成である。この詳細を示したのが図１２である。図１２（ａ）は磁界Ｈｘの磁界強度分布を示し、図１２（ｂ）は平面図を示す。図１２（ｂ）中、アンテナコイルを均一の間隔Ｌで複数回巻いている。このような構造の場合に共通して下記の課題がある。
【００１３】
図１２、図１３に示すように従来の技術においては、コイルの長さ方向の磁界（図１２、図１３中のＨｘ）分布が、コイルの長さ方向に対し、中央部付近の磁界強度が高く、コイルの両端部付近になるにつれ磁界強度が徐々に弱くなり、コイルの巻き始め及び巻き終わり付近でヌル点（タグ不感範囲）があることが判る。
【００１４】
それゆえアンテナコイルの長さ方向の中央部付近では、ＲＦ−ＩＤタグに充分すぎる送信電力が供給され、逆にアンテナコイルの長さ方向の両端部付近では、ＲＦ−ＩＤタグが動作する為に必要な送信電力が不足する場合が生じていた。図１２にタグの動作磁界強度を破線で記載している。この値より磁界強度が強い場合は、ＲＦ−ＩＤタグは、読取／書込装置との通信が可能で、この値より磁界強度が低い場合、ＲＦ−ＩＤタグとの読取／書込装置との通信ができないことを表している。
【００１５】
更に、コイルの巻き始め及び巻き終わり付近のヌル点（タグ不感範囲）付近では、磁界強度がほぼ零に近いため全くＲＦ−ＩＤタグが動作しないタグ不感範囲が存在すると言う課題があった。
【００１６】
そこで、本発明は、アンテナコイルの長さ方向の磁界（Ｈｘ）分布が均一で、尚かつコイルの巻き始め及び巻き終わり付近のタグ不感範囲の発生を防止し、送信電力利用効率を向上できるＲＦ−ＩＤリーダーライター装置用アンテナ及びそれを用いたＲＦ−ＩＤリーダーライター装置並びに無線通信システムを提供することを目的とする。
【課題を解決するための手段】
【００１７】
本発明のアンテナ装置は、複数の辺部及び複数の角部を有する形状の磁性体を含む磁性板部材と、当該磁性板部材の１つの角部を形成する隣接する２つの辺部上を通過するように所定回数巻かれた導線と、を有するアンテナ装置であって、前記導線は、それぞれ前記複数の対向する角部同士を通る対角線と直交するように設けられ、かつ前記磁性板部材上のほぼ一面にほぼ均一に磁界を生成するように前記磁性板部材上にて交差するように構成した。
【００１８】
また、前記磁性板部上の導線の間隔は、前記角部から離隔するにつれて次第に広がっているように構成した。
【００１９】
更に、前記磁性板部材上にて交差する２つの導線の角度がほぼ９０度であるように構成した。更に、前記磁性板部材上にて交差する２つの導線に流れる電流が同相であるように構成した。更に、前記磁性板部材上にて交差する２つの導線に流れる電流が直交した相であるように構成した。
【発明の効果】
【００２０】
本発明により、多巻きループアンテナにおいてアンテナコイルの開口面の中心軸に合致せず、多巻きループアンテナのアンテナコイルの開口面を通らない中心軸に略平行な軸と、ＲＦ−ＩＤタグのアンテナの開口面の中心軸とを略一致させて、多巻きループアンテナの外周天面の面上に、複数のＲＦ−ＩＤタグが近接配置させて通信するアンテナ装置において、アンテナコイルの長さ方向の磁界（Ｈｘ）分布が均一で尚かつコイルの巻き始め及び巻き終わり付近のタグ不感範囲の発生を防止することによりＲＦ−ＩＤタグとの通信性能を向上させると共に送信電力利用効率を向上できるＲＦ−ＩＤリーダーライター装置用アンテナ及びそれを用いたＲＦ−ＩＤリーダーライター装置並びに無線通信システムを提供することが可能となる。
【発明を実施するための最良の形態】
【００２１】
本発明のＲＦ−ＩＤリーダーライター装置用のアンテナ装置は、複数の辺部及び複数の角部を有する形状の磁性体を含む磁性板部材と、当該磁性板部材の１つの角部を形成する隣接する２つの辺部上を通過するように所定回数巻かれた導線と、を有するアンテナ装置であって、前記導線は、それぞれ前記複数の対向する角部同士を通る対角線と直交するように設けられ、かつ前記磁性板部材上のほぼ一面にほぼ均一に磁界を生成するように前記磁性板部材上にて交差するように構成した。この構成により、磁界の分布を均一化することにより送信電力利用効率を向上させることが可能となる。
【００２２】
以下に、本発明のアンテナ装置における実施の形態１について詳細に説明する。
【００２３】
（実施の形態１）
図１は、本発明の実施の形態１における無線通信システムを示す斜視図である。図１において、１は本アンテナ装置、２は物品、３はＲＦ−ＩＤタグ、４は同軸ケーブルを示す。更に、５は読取／書込装置、６は通信ケーブル、７は入力設定装置（ＰＣ）である。
【００２４】
図２（ａ）は、本実施の形態のアンテナ装置１の筐体蓋２３を取り除いた状態のアンテナ素子部の斜視図を示す。図２（ｂ）は、筐体を含む断面斜視図である。図２に示すように、アンテナループのアンテナ素子部１ａは本発明のＲＦ−ＩＤリーダーライター装置用アンテナであり、樹脂製の筐体２３に収納されている。また、アンテナ素子部１ａは共振／整合／分配・合成回路部品２４を配置した共振／整合／分配・合成回路基板２５及び同軸ケーブル４を介してリーダーライター装置５に接続されている。また、アンテナ素子部１ａ、共振／整合／分配・合成回路部品２４を配置した共振／整合／分配・合成回路基板２５のグランド部はグランド導体板８に接地された構成である。
【００２５】
リーダーライター装置（無線通信装置）５に接続された本アンテナ装置１は、タグ側アンテナ（図示せず）を備えた複数のＲＦ−ＩＤタグ３に電磁誘導により電力と送信データを供給し、ＲＦ−ＩＤタグ（無線タグ）３から受信データを負荷変動により取得する。
【００２６】
また、図１に示すように、本アンテナ装置１の外周天面の面上に、概垂直に略一直線上に複数のＲＦ−ＩＤタグ３を狭間隔に複数列配置させている。
【００２７】
このような配置によって、本アンテナ装置１の外周天面の面上の全てのＲＦ−ＩＤタグ３との通信を実現することが可能となる。
【００２８】
そして、本発明はＲＦ−ＩＤリーダーライター装置用アンテナに、本アンテナ装置１を使用したことにより、重なり合うように狭間隔に配置した複数のＲＦ−ＩＤタグ３との通信を良好に行うことができる。
【００２９】
本発明のアンテナ装置の実施の形態について、更に詳しく述べる。
【００３０】
図３に本発明の実施の形態１におけるＲＦ−ＩＤリーダーライター装置用アンテナ装置のアンテナ素子部の詳細斜視図、図４にその平面図、図５に巻き方の詳細図を示す。
【００３１】
図３、図４及び図５において、１ａはアンテナ素子部を示し、９は複数の辺部及び複数の角部を有する形状の磁性体を含む磁性板部材を示す。１０及び１０１はアンテナコイルを構成するＵＥＷ（ポリウレタン銅線）やＰＥＷ（ポリエステル銅線）などの被覆電線材より成る導電性の線材から成る第１のアンテナコイル（１）及び（１１）を示している。第１のアンテナコイル１０及び１０１は対角線（イ−ロ）に対し直交に巻き始め部Ａから巻き終わり部Ａ１へと複数回磁性板部材９に巻かれている構成である。
【００３２】
第２のアンテナコイル１１及び１１１も同様の構成であるが、対角線（イ−ロ）に対し直交する対角線（ハ−ニ）に対し直交に巻き始め部Ｂから巻き終わり部Ｂ１へと複数回磁性板部材９に巻かれている構成である。
【００３３】
この場合、第１のアンテナコイル１０及び１０１は、磁性板部材９の１つの角部（イ）を形成する隣接する２つの辺部（イ−ニ）、（イ−ハ）上を通過するように所定回数巻かれた導線からなる複数回巻アンテナコイル（１）及び磁性板部材９の１つの角部（ロ）を形成する隣接する２つの辺部（ロ−ハ）、（ロ−ニ）上を通過するように所定回数巻かれた導線からなる複数回巻アンテナコイル（１１）から成ると共に、対角線（イ−ロ）に対し概直角の方向に巻かれている。
【００３４】
また、第２のアンテナコイル１１及び１１１は、磁性板部材９の１つの角部（ハ）を形成する隣接する２つの辺部（ハ−イ）、（ハ−ロ）上を通過するように所定回数巻かれた導線からなる複数回巻アンテナコイル（２）及び磁性板部材９の１つの角部（ニ）を形成する隣接する２つの辺部（ニ−イ）、（ニ−ロ）上を通過するように所定回数巻かれた導線からなる複数回巻アンテナコイル（２１）から成ると共に、対角線（ハ−ニ）に対し概直角の方向に巻かれている。
【００３５】
図５にアンテナコイルの巻き方の詳細を示す。図中、Ｌ１、Ｌ２，・・・Ｌｎはアンテナコイルのピッチを示す。今、巻き始めＡからＬ１＜Ｌ２＜Ｌ３・・・・＜Ｌｎと中央部の点Ｏに近づくにつれてピッチ間隔が徐々に大きく、尚かつ、Ｌｎ＜＜Ｌｏと言う関係で第１のアンテナコイル１０を構成している。第１のアンテナコイル１０１は点Ｏに対し対称に巻かれて巻き終わりＡ１まで巻かれている。途中の点Ｃ及びＣ１間は辺に沿ってＬｃ，Ｌｃ１にて接続されている。
【００３６】
第２のアンテナコイル１１及び１１１も同様の構成であるが、対角線（イ−ロ）に対し直交する対角線（ハ−ニ）に垂直に巻き始め部Ｂから巻き終わり部Ｂ１へと複数回磁性板部材９に巻かれている構成である。この構成にすることにより、図１１に示すように水平方向の磁界Ｈｘの磁界分布の均一化が図れると共に、従来の技術でアンテナコイルの両端付近に生じていたヌル点（タグ不感範囲）を角部の巻き始め部Ａ付近のみの非常に狭い範囲のみに発生させることにより、従来の技術でアンテナコイルの両端付近に生じていたタグ不感範囲の発生を防止することが可能となった。
【００３７】
図６に他の実施例を示す。この場合、磁性板部材９が矩形形状を示しているがアンテナコイルの巻き方等は前記と同様である。このように構成することで水平方向の磁界Ｈｘの通信範囲を横長に拡大できることは言うまでもない。
【００３８】
図７は実施の形態１におけるアンテナ装置内外の接続図を示す。１は本アンテナ装置を示し１ａはアンテナ素子部を示す。今、アンテナ素子部１ａの２つの巻き始め部Ａ及びＢは、第一の信号線（１）１９を介して、共振／整合回路部１８に接続されている。
【００３９】
この場合、接続点Ｓに対して線分ＡＳ＝ＢＳとし、端子に同相の高周波信号が、読取／書込装置５から同軸ケーブル４、共振／整合回路部１８を介して供給される。尚、読取／書込装置５内には、電源部５ａが設けられ、これを介して商用電源に接続され（図示せず）商用電源より、この無線通信システムを駆動させるべき電力の供給を受けている。アンテナ素子部１ａの２つの巻き終わり部Ａ１及びＢ１は第二の信号線（２）２０を介して、共振／整合回路部１８に接続されている。このような構成にすることにより、図８に示す様に、ＡからＡ１へ流れる電流によりこのアンテナループに垂直な方向にＨAが生じる。またＢからＢ１へ流れる電流によりこのアンテナループに垂直な方向にＨBが生じる。この場合Ａ及びＢに同相の高周波電流が供給されている為、これら２つの磁界ＨA及びＨBは、空間でベクトル的に合成され図８の水平方向の磁界Ｈｘとして合成される。この磁界Ｈｘにより図１に示す物品２に貼付されたＲＦ−ＩＤタグ３との通信が、アンテナ天面全域で可能となる。
【００４０】
（実施の形態２）
次に、本発明のアンテナ装置における実施の形態２について詳細に説明する。
【００４１】
尚、当該実施の形態２のアンテナ装置は、上記実施の形態１の読取／書込装置５と連結されるものであり、図面は共有する。
【００４２】
図９は、本発明の実施の形態２におけるＲＦ−ＩＤリーダーライター装置用のアンテナ装置を示す。図９においてアンテナ装置内外の接続図を示し、１は本アンテナ装置を、１ａはアンテナ素子部を示す。今、アンテナ素子部１ａの巻き始め部Ａは、第一の信号線（１）１９を介して、共振／整合回路部１８に接続され、更に位相器２１を介して電力分配／合成器２２を経由し、更に同軸ケーブル４を介して読取／書込装置５に接続されている。尚、読取／書込装置５内には、電源部５ａが設けられ、これを介して商用電源に接続され（図示せず）商用電源より、この無線通信システムを駆動させるべき電力の供給を受けている。
【００４３】
またアンテナ素子部１ａの巻き始め部Ｂは、第三の信号線（３）１９１を介して、共振／整合回路部１８に接続され、電力分配／合成器２２、更に同軸ケーブル４を介して読取／書込装置５に接続されている。
【００４４】
アンテナ素子部１ａの２つの巻き終わり部Ａ１及びＢ１は各々第二の信号線（２）２０、第四の信号線（４）２０１を介して、各々共振／整合回路部１８に接続されている。
【００４５】
この場合、読取／書込装置５から発した高周波信号は同軸ケーブル４を介して電力分配／合成器２２に供給され、この電力分配／合成器２２にて等振幅／等位相の２つの高周波信号に分けられる。この等振幅／等位相の２つの高周波信号の１つは９０°位相器２１を介して共振／整合回路部１８に接続され、第一の信号線（１）１９を介してアンテナコイルの巻き始め部Ａへ供給される。
【００４６】
また、読取／書込装置５から発した高周波信号は同軸ケーブル４を介して電力分配／合成器２２に供給され、この電力分配／合成器２２にて等振幅／等位相の２つの高周波信号に分けられる。この等振幅／等位相の２つの高周波信号の他の１つは９０°位相器２１を通らず直接、共振／整合回路部１８に接続され、第三の信号線（３）１９１を介してアンテナコイルの巻き始め部Ｂへ供給される。この構成にしたことにより、２つの直交して配置されたアンテナループの巻き始めＡとＢへ供給される高周波信号の位相はＡの位相を０°とするとＢの位相は＋９０°と進んだ相になる。
【００４７】
このような構成にすることにより、図１０に示す様に、ＡからＡ１へ流れる電流によりこのアンテナループに垂直な方向にＨAが生じる。またＢからＢ１へ流れる電流によりこのアンテナループに垂直な方向にＨBが生じる。この場合、Ａ及びＢに９０°位相差を有する等振幅の高周波電流が供給されている為、これら２つの磁界ＨA及びＨBは、空間でベクトル的に合成され図の様に時間的かつ空間的に円を描く磁界Ｈとして合成される。この磁界Ｈにより図１に示す物品２に貼付されたＲＦ−ＩＤタグ３との通信が、アンテナ天面全域で可能となると共に、ＲＦ−ＩＤタグ３の向きがアンテナ天面に垂直で、水平面内のいかなる方向に配置されたとしてもＲＦ−ＩＤタグ３と読取／書込装置５との通信がアンテナ天面全域で可能となる。
【００４８】
前記のように、各アンテナループの素子間の離隔距離（ピッチ）を最適に選択することにより、各アンテナループを流れる高周波電流の電流分布をコントロールすることが可能となり、図１１（ａ）に示すようにアンテナの長さ方向（Ｘ軸方向）の磁界Ｈｘの磁界分布を均一とすることができる。尚かつ、２つのアンテナループを対角線に対し直交するようにかつ中心点に対し９０°回転した方向に巻いたことにより、従来の技術でアンテナコイルの両端付近に生じていたヌル点（タグ不感範囲）を各角部の巻き始め部Ａ付近のみの非常に狭い範囲のみに発生させることにより、タグ不感範囲を除去することが可能となった。それゆえ図１に示す物品２に貼付されたＲＦ−ＩＤタグ３とＲＦ−ＩＤリーダーライター装置との通信が、アンテナ天面全域で可能となり、リーダーライター装置から供給する送信電力利用効率を更に大幅に改善できる。
【産業上の利用可能性】
【００４９】
本発明のアンテナ装置及び無線通信システムは、近年実用化されつつある極めて狭間隔に重ね合わせが可能な積層タグに対しても広範囲なタグ読取範囲が可能で、ＨＦ帯（１３．５６ＭＨｚ帯）の周波数を利用し、複数のＲＦ−ＩＤタグとの通信を行うＲＦ−ＩＤリーダーライター装置用アンテナ及びそれを用いたＲＦ−ＩＤリーダーライター装置並びにＲＦ−ＩＤシステムの用途にも適用できる。
【図面の簡単な説明】
【００５０】
【図１】本発明の実施の形態１における無線通信システムを示す斜視図
【図２】本発明の実施の形態１及び２におけるアンテナ素子部を示す斜視図及びＲＦ−ＩＤリーダーライター装置用のアンテナ装置を示す断面斜視図
【図３】本発明の実施の形態１及び２におけるＲＦ−ＩＤリーダーライター装置用アンテナ装置のアンテナ素子部の詳細斜視図
【図４】アンテナ素子部の平面図
【図５】アンテナコイル巻き方の詳細図
【図６】他の実施例図
【図７】実施の形態１におけるアンテナ装置内外の接続図
【図８】実施の形態１における合成磁界説明図
【図９】実施の形態２におけるアンテナ装置内外の接続図
【図１０】実施の形態２における合成磁界説明図
【図１１】本発明の磁界分布図及びアンテナ素子部の平面図
【図１２】従来の技術の磁界分布図及びアンテナ素子部の平面図
【図１３】従来の技術の磁界分布図及びアンテナ素子部の側面図
【図１４】従来の技術図
【符号の説明】
【００５１】
１    本アンテナ装置
１ａ    アンテナ素子部
２    物品
３    ＲＦ−ＩＤタグ
４    同軸ケーブル
５    読取／書込装置（リーダーライター装置）
６    通信ケーブル
７    入力設定装置（ＰＣ）
８    接地用導体板（グランド導体板）
９    磁性板部材
１０、１０１    第１のアンテナコイル
１１、１１１    第２のアンテナコイル
１２    対角線（１）
１３    対角線（２）
１４    角部（イ）
１５    角部（ニ）
１６    角部（ロ）
１７    角部（ハ）
１８    共振／整合回路部
１９    第一の信号線（１）
２０    第二の信号線（２）
２１    位相器
２２    電力分配／合成器
２３    筐体
２４    共振／整合／分配・合成回路部品
２５    共振／整合／分配・合成回路基板
１９１    第三の信号線（３）
２０１    第四の信号線（４）
Ａ    巻き始め部
Ａ１    巻き終わり部
Ｂ    巻き始め部
Ｂ１    巻き終わり部
Ｌ１〜Ｌｎ、Ｌｏ    アンテナコイル間離隔距離
【図１】
0004952439.tif 000002
【図２】
0004952439.tif 000003
【図３】
0004952439.tif 000004
【図４】
0004952439.tif 000005
【図５】
0004952439.tif 000006
【図６】
0004952439.tif 000007
【図７】
0004952439.tif 000008
【図８】
0004952439.tif 000009
【図９】
0004952439.tif 000010
【図１０】
0004952439.tif 000011
【図１１】
0004952439.tif 000012
【図１２】
0004952439.tif 000013
【図１３】
0004952439.tif 000014
【図１４】
0004952439.tif 000015